(57)【特許請求の範囲】
【請求項１】
弾球遊技機の本体側に支持される揺動軸を中心にして揺動して該本体側に対して開閉され、閉鎖されたときには自身が保持する透明板にて遊技盤の前面側を覆うガラス枠を該本体側に取付けるためのガラス枠取付機構において、
前記本体側に固定される支持基板と、
前記揺動軸の上端を保持する上軸受穴を有して前記支持基板の上端部に固定される上部軸受と、
前記揺動軸の下端を保持する下軸受穴が設けられた下部軸受と該下部軸受を保持する取付基部とからなるＬ字状の部材であって、該取付基部が前記支持基板に連結され且つ固定されていない緩連結状態では、前記取付基部を前記支持基板に接近させて前記下軸受穴が前記上軸受穴と同軸になる閉位置と、前記取付基部の上端側を前記支持基板から離脱させて前記下部軸受の先端と前記上部軸受との距離を前記閉位置よりも大きくする開位置との間で揺動変位する可動部材と、
前記閉位置とされた可動部材を前記支持基板に固定する固定手段と
からなることを特徴とするガラス枠取付機構。
【請求項２】
請求項１記載のガラス枠取付機構において、
前記可動部材は、前記取付基板の下端部に設けられた係合耳を前記支持基板に設けられた係合穴に係合することにより前記緩連結状態とされ、該緩連結状態では前記係合耳付近を支点として前記揺動変位することを特徴とするガラス枠取付機構。
【請求項３】
請求項１または２記載のガラス枠取付機構において、
前記上部軸受は、前記支持基板と一連となる金属製の板状部材の上端部を折曲げて形成され、
前記可動部材はＬ字状の金属片である
ことを特徴とするガラス枠取付機構。
【発明の詳細な説明】
【０００１】
【発明の属する技術分野】
本発明は、弾球遊技機のガラス枠取付機構に関する。
【０００２】
【従来の技術】
パチンコ機やアレンジボール式パチンコ機に代表される弾球遊技機では、遊技盤の前面側を透明板（通常はガラス板）で覆っている。
図６に例示するように、従来の弾球遊技機９０では、外枠９１にて前面枠９２を保持し、その前面枠９２に固定された金枠９３によってガラス枠９４を保持していた。
【０００３】
弾球遊技機９０へのガラス枠９４の取り付けは、金枠９３とガラス枠９４とを予め一体化しておいて、その一体化されたものを例えば釘打ちして前面枠９２に取り付けるという工程によっていた。これは、金枠９３およびガラス枠９４がプレス加工によって製造され、ガラス枠９４の揺動軸が金枠９３の一部に設けられた軸受によって保持される構造であったため、金枠９３を前面枠９２に取り付けた後にガラス枠９４を金枠９３に取り付ける手順を採用できなかったことによる。
【０００４】
【発明が解決しようとする課題】
しかしながら、金枠９３およびガラス枠９４が変形しやすく、また両者を一体化したものは比較的大型の部品となるので、これを歪ませることなく正確に前面枠９２に取り付けるのは簡単ではなかった。また、例えば弾球遊技機の廃棄処分にあたって、金枠９３とガラス枠９４を前面枠９２から取り外すのも簡単な作業ではなかった。
【０００５】
本発明は、ガラス枠の着脱を簡単にすることで、弾球遊技機の製造工程における作業効率の向上を図り、また廃棄処分にあたっての分解作業を容易ならしめることを目的としている。
【０００６】
【課題を解決するための手段および発明の効果】
上記課題を解決するための請求項１記載のガラス枠取付機構は、弾球遊技機の本体側に支持される揺動軸を中心にして揺動して該本体側に対して開閉され、閉鎖されたときには自身が保持する透明板にて遊技盤の前面側を覆うガラス枠を該本体側に取付けるためのガラス枠取付機構において、
前記本体側に固定される支持基板と、
前記揺動軸の上端を保持する上軸受穴を有して前記支持基板の上端部に固定される上部軸受と、
前記揺動軸の下端を保持する下軸受穴が設けられた下部軸受と該下部軸受を保持する取付基部とからなるＬ字状の部材であって、該取付基部が前記支持基板に連結され且つ固定されていない緩連結状態では、前記取付基部を前記支持基板に接近させて前記下軸受穴が前記上軸受穴と同軸になる閉位置と、前記取付基部の上端側を前記支持基板から離脱させて前記下部軸受の先端と前記上部軸受との距離を前記閉位置よりも大きくする開位置との間で揺動変位する可動部材と、
前記閉位置とされた可動部材を前記支持基板に固定する固定手段と
からなることを特徴とする。
【０００７】
ガラス枠は、遊技盤の前面側を覆う透明板を保持するので、ガラス枠と呼ぶのはやや妥当性を欠いているが、透明板の材質（例えばガラスであるかプラスチックであるか）にかかわらず、これを保持する枠体を「ガラス枠」と呼ぶのが普通であるので、本発明でもこれに倣ってガラス枠と呼ぶことにしている。
【０００８】
支持基板、上部軸受および可動部材は、透明板を含むガラス枠の荷重を支えるので、強固な材質、例えば鋼板などの金属製とするのが好ましい。ただし、強度さえ十分ならプラスチック等の材料を用いてもよい。
支持基板は弾球遊技機の本体側に固定され、その支持基板の上端部に上部軸受が固定される。支持基板は、例えばボルト、釘、接着剤等により本体側に固定されるが、分解時の作業性を考慮するとボルト締めが優れている。
【０００９】
上部軸受は、例えばボルトやスポット溶接にて支持基板に固定されてもよいが、請求項３記載のように、支持基板と一連となる金属製の板状部材の上端部を折曲げて形成すると簡単であり、強度も良好である。この上部軸受には、揺動軸の上端を保持する上軸受穴が設けられる。
【００１０】
可動部材は、下部軸受と取付基部とからなるＬ字状の部材であって、例えば請求項３記載のようにＬ字状の金属片とすることができる。なお、下部軸受には揺動軸の下端を保持する下軸受穴が設けられる。
この可動部材は、取付基部が支持基板に連結され且つ固定されていない緩連結状態では、取付基部を支持基板に接近させて下軸受穴が上軸受穴と同軸になる閉位置と、取付基部の上端側を支持基板から離脱させて下部軸受の先端と上部軸受との距離を閉位置よりも大きくする開位置との間で揺動変位する。
【００１１】
したがって、可動部材を開位置にしておけば、ガラス枠の揺動軸の上端を上部軸受の上軸受穴に挿通させてから、揺動軸の下端を下部軸受の下軸受穴に挿通させる作業が、きわめて簡単にできる。そして、揺動軸の下端を下軸受穴に挿通させたまま可動部材を閉位置にして、固定手段により、その可動部材を支持基板に固定すればガラス枠の取付が完了する。よって、ガラス枠の取付作業はきわめて簡単である。また、この逆の手順で作業すればきわめて簡単に取り外しできる。
【００１２】
固定手段としては、ボルトやピンのような、固定、解除に可逆性を有するものが好ましい。
なお、ガラス枠の揺動軸は、１本ものとしてもよいし、上下に分割して２本としてもよい。また、上軸受穴および下軸受穴は、貫通穴でも盲管でもよい。
【００１３】
可動部材を緩連結状態とするための構成としては、請求項２記載の構成が例示される。すなわち、請求項２記載のガラス枠取付機構では、前記可動部材は、前記取付基板の下端部に設けられた係合耳を前記支持基板に設けられた係合穴に係合することにより前記緩連結状態とされ、該緩連結状態では前記係合耳付近を支点として前記揺動変位する。
【００１４】
このようにすれば、可動部材および支持基板の構造が複雑化しないし、可動部材を支持基板に緩連結するのも簡単である。
支持基板、上部軸受および可動部材は、請求項３記載のように、前記上部軸受は、前記支持基板と一連となる金属製の板状部材の上端部を折曲げて形成され、前記可動部材はＬ字状の金属片とすれば、これらの製造は、例えばプレス加工によって行えるので、きわめて簡単であり、またコスト的にも有利である。
【００１５】
【発明の実施の形態】
次に、本発明の実施例を図面を参照して説明することにより、発明の実施の形態を具体的に説明する。
【００１６】
【実施例】
図１に示すように、弾球遊技機としてのパチンコ機１０は、外殻となる外枠１２により中枠１４を開閉可能に保持し、その中枠１４にて、遊技盤１６、遊技盤１６の前面を覆うガラス板１８を保持するガラス枠２０、ガラス枠２０の下方に配された上皿扉２２、その下方に配された下皿２４、操作ハンドル２６等の各部を支持する構成となっている。
【００１７】
図２に示すように、中枠１４の一方の側辺に沿って、ヒンジ受け３０がボルト３１によって固定されている。ヒンジ受け３０は鋼板製で、図２および図３に示すように、上端の上部軸受３２と下端の皿用軸受３４とを長方形の支持基板３６で連結した形状である。また、支持基板３６には、鋼板製でＬ字状の可動部材３８がボルト３９にて固定される。
【００１８】
図３に示すように、上部軸受３２および皿用軸受３４は互いにほぼ平行に突出しており、上部軸受３２には上軸受穴４０が設けられ、皿用軸受３４には皿用軸受穴４２が設けられている。
可動部材３８は、支持基板３６に固定された際には上部軸受３２と平行となる下部軸受４４、支持基板３６に密接させられる取付基部４６および取付基部４６の下端から突出する係合耳４８を備えている。なお、下部軸受４４には下軸受穴５０が設けられ、取付基部４６にはボルト用の穴が設けられている。可動部材３８がボルト３９にて支持基板３６に固定された際には、下軸受穴５０は、上軸受穴４０とほぼ同軸となる。
【００１９】
一方、支持基板３６には、長方形の係合穴５２が設けられており、可動部材３８の取付時には、係合耳４８が係合穴５２に係合される。
また、ガラス枠２０は、ガラス板を保持するための金属製の枠体であるガラス保持枠５４と、ガラス保持枠５４の前面側を覆うプラスチック製の装飾枠５６とからなり、両者は図示するようにボルトによって接合されている。ガラス保持枠５４には、上部揺動軸５８および下部揺動軸６０が、互いに同心となるように取り付けられている。
【００２０】
このガラス枠２０は、上部揺動軸５８を上部軸受３２の上軸受穴４０に挿通させ、下部揺動軸６０を下部軸受４４の下軸受穴５０に挿通させて、ヒンジ受け３０（すなわち中枠１４）に取り付けられ、上部揺動軸５８および下部揺動軸６０を中心として揺動、開閉可能とされる。
【００２１】
次に、このガラス枠２０の取付作業について説明する。
図４（ｂ）に示すように、ガラス枠２０の取付作業を開始するときには、可動部材３８は、係合耳４８を係合穴５２に挿通させただけの緩連結状態とされており、可動部材３８は、自身の重量により係合耳４８付近を支点にして倒れこんだ状態となり、取付基部４６の上端側を支持基板３６から離脱させ、下部軸受４４の先端と上部軸受３２との距離を、固定時よりも大きくしている。
【００２２】
この状態で、ガラス枠２０の上部揺動軸５８を上軸受穴４０に挿通させ（図４（ａ）参照）、ガラス枠２０全体をやや傾けた状態として、下部揺動軸６０を下軸受穴５０に近づける（図４（ｂ）参照）。そして、例えば作業者が手を添える等により、可動部材３８を起きあがらせるようにして、下部揺動軸６０を下軸受穴５０に挿通させる。可動部材３８が図４（ａ）に示されるように倒れ込んでいて、下部揺動軸６０と下部軸受４４との距離が十分あるので、下部揺動軸６０を下軸受穴５０に近づける作業とそれに続く挿通作業はきわめて簡単である。
【００２３】
そして、ガラス枠２０を支持基板３６側に押すようにして移動させると、それに伴って可動部材３８が起きあがり、図５に示されるように取付基部４６が支持基板３６に重なる。この状態となれば、ガラス枠２０の荷重が下部軸受４４上に架かり、またガラス枠２０の上端は上軸受穴４０と上部揺動軸５８との係合によって保持されるので、作業者がガラス枠２０を支えなくても、ガラス枠２０が倒れるようなことはない。この図５に示される状態で、ボルト３９により可動部材３８を支持基板３６に固定すれば、ガラス枠２０の取付作業は完了である。なお、下部揺動軸６０が下部軸受４４の下方に突出しているのは、この突出部分を、上皿扉２２の揺動軸として使用するためである。
【００２４】
また、ガラス枠２０の取り外しは、ボルト３９を緩めて可動部材３８を自由にして、ガラス枠２０を支持基板３６から引き離すようにすれば、図４（ｂ）に示されるように、下部揺動軸６０を下軸受穴５０から離脱させて、ガラス枠２０を支持基板３６（すなわち中枠１４）から取り外すことができる。
【００２５】
以上説明したように、この実施例のパチンコ機１０では、ガラス枠２０の取付、取外がきわめて簡単であり、パチンコ機１０の製造工程における作業効率が向上し、また廃棄処分にあたっての分解作業も容易になる。
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例のパチンコ機の正面図である。
【図２】  実施例のパチンコ機の中枠の正面図である。
【図３】  実施例のヒンジ受けおよびガラス枠の構造を説明する分解図である。
【図４】  実施例におけるガラス枠の取付作業の説明図であり、図４（ａ）は上部揺動軸を上軸受穴に挿通した状態の説明図、図４（ｂ）は下部揺動軸を下軸受穴に接近させた状態の説明図である。
【図５】  実施例におけるガラス枠の取付作業で下部揺動軸を下軸受穴に挿通させた状態の説明図である。
【図６】  従来の弾球遊技機におけるガラス枠の取付構造の説明図である。
【符号の説明】
１０…パチンコ機（弾球遊技機）、１２…外枠、１４…中枠、１６…遊技盤、１８…ガラス板（透明板）、２０…ガラス枠、２２…上皿扉、２４…下皿、２６…操作ハンドル、３１…ボルト、３２…上部軸受、３４…皿用軸受、３６…支持基板、３８…可動部材、３９…ボルト（固定手段）、４０…上軸受穴、４２…皿用軸受穴、４４…下部軸受、４６…取付基部、４８…係合耳、５０…下軸受穴、５２…係合穴、５４…ガラス保持枠、５６…装飾枠、５８…上部揺動軸（揺動軸）、６０…下部揺動軸（揺動軸）。
【図１】
0004074685.tif 000002
【図２】
0004074685.tif 000003
【図３】
0004074685.tif 000004
【図４】
0004074685.tif 000005
【図５】
0004074685.tif 000006
【図６】
0004074685.tif 000007